(57)【要約】【課題】本発明は、降下対象物を摺接降下させる開閉扉の摩擦制御装置に関し、従来の摺接降下させる開閉扉では、任意のタイミングで降下対象物を降下させることが困難であると言う課題を、本発明により解決することである。【解決手段】対象物を摺接させて落下させる開閉扉１における摺接用表面に摺接方向に沿って併設されるとともに、前記対象物を降下させる摺接方向と直交する方向に交互に並べて敷設される固定摩擦板４と移動摩擦板３と、前記移動摩擦板３を相対的に移動させる移動手段７及びその移動手段を駆動制御する制御装置を設けてなる、降下対象物を摺接降下させる開閉扉１の摩擦制御装置２とする。【選択図】図１−Ａ
2010209575.tif 000002
【特許請求の範囲】
【請求項１】
対象物を摺接させて落下させる開閉扉における摺接用表面に摺接方向に沿って併設されるとともに、前記対象物を降下させる摺接方向と直交する方向に交互に並べて敷設される固定摩擦板と移動摩擦板と、
前記移動摩擦板を相対的に移動させる移動手段及びその移動手段を駆動制御する制御装置を設けたこと、
を特徴とする降下対象物を摺接降下させる開閉扉の摩擦制御装置。
【請求項２】
移動摩擦板の摺接面の摩擦係数は、固定摩擦板の摺接面における摩擦係数と比較して大であること、
を特徴とする請求項１に記載の降下対象物を摺接降下させる開閉扉の摩擦制御装置。
【請求項３】
固定摩擦板と移動摩擦板との断面形状は、摺接方向に沿って先細となる三角形状の傾斜板であること、
を特徴とする請求項１乃至２のいずれかに記載の降下対象物を摺接降下させる開閉扉の摩擦制御装置。
【請求項４】
請求項１乃至３に記載の降下対象物を摺接降下させる開閉扉の摩擦制御装置を形成し、前記開閉扉が閉状態から開状態に移行する途中において、移動手段を制御装置で駆動制御して移動摩擦板を移動させ、開閉扉全体の摩擦係数を変化させること、
を特徴とする降下対象物を摺接降下させる開閉扉の摩擦制御方法。
【発明の詳細な説明】
【技術分野】
【０００１】
本発明は、海中若しくは水中に袋詰土砂を降下させて海（水）底面に堤などを構築する際に、前記袋詰土砂を降下させるシャッターにおいて、所望の滑り速度で袋詰め土砂を降下させる場合における、降下対象物を摺接降下させる開閉扉の摩擦制御方法とその装置に関するものである。
【背景技術】
【０００２】
従来、ダムや湖沼などの水底および海底に潜堤等を構築するには、図６に示すように、土砂などを充填した袋体４８、すなわち袋詰め土砂４９を水底５０に投入して積み上げていた。この袋詰め土砂４９の水底５０への投入は水面５１近くから行っていた。また、この他の袋詰め土砂の沈設方法としては、特公平６−４３６８８号公報の発明が知られている（特許文献１参照）。
【０００３】
前記袋詰め土砂４９をシャッタ５２ーを開いて降下させる場合に、袋体４８の生地に無理な張力が掛からないようにして、袋破損の危険性を避けるようにする必要がある。
【先行技術文献】
【特許文献】
【０００４】
【特許文献１】特公平６−４３６８８号公報
【発明の概要】
【発明が解決しようとする課題】
【０００５】
しかし、従来の降下方法では、前記シャッター５２が十分に開口された状態で袋体４８を降下させようとすると、シャッター５２の表面の摩擦係数を大きくすることが必要となり、その場合、袋体４８の滑り速度は遅くなるが、摩擦係数が増大するので袋底部の生地を引張り、無理な張力が生じて却って袋破損の危険性が高まるおそれがある。また、摩擦が大きい場合に、必要な開度までシャッターが開いても袋詰め土砂が滑り落ちないことがあり、袋詰め土砂の落下のタイミングが把握できないと共に、左右両側のシャッターから同じタイミングで袋詰め土砂が滑り落ちるとは限らなく、その影響で袋詰め土砂の落下位置が不正確になる可能性が高まると言う課題がある。本発明に係る降下対象物を摺接降下させる開閉扉の摩擦制御方法とその装置は、このような課題を解決するために提案されたものである。
【課題を解決するための手段】
【０００６】
本発明に係る降下対象物を摺接降下させる開閉扉の摩擦制御方法とその装置の上記課題を解決して目的を達成するための要旨は、落下対象物を開閉扉の上で摺接させて降下させる場合に、摺接用表面を、固定摩擦板と移動摩擦板の２種類を用意し、更に、その表面を摩擦係数の大きい部分と摩擦係数の小さい部分とにして、それを前記降下対象物を降下させる方向と直交する方向に交互に並べて敷設するとともに、前記移動摩擦板を固定摩擦板に対して相対的に移動させることで前記開閉扉全体の摩擦係数を変化させることである。
前記開閉扉は、引き戸ではなく一枚の板が開く片開き戸であるか、若しくは、両開き戸の観音開きするものである。前記移動摩擦板の相対的な移動は、開閉扉を閉状態から開状態に移行するために、斜めに傾斜させている途中において行われるものであり、その移動摩擦板の相対的な移動には、一方をスライドさせたり、突出させたり、後退させたりする駆動手段による移動機構により行われる。
【発明の効果】
【０００７】
本発明の降下対象物を摺接降下させる開閉扉の摩擦制御方法とその装置によれば、開閉扉を拡開させた後に、落下のタイミングを見計らって移動装置を駆動させ、降下対象物を安全に、そして正確に所定の位置に降下させるように、開閉扉全体の摩擦係数を変えるように制御できる。
【図面の簡単な説明】
【０００８】
【図１−Ａ】本発明に係る降下対象物を摺接降下させる開閉扉１の摩擦制御構造を示す平面図で、上部分が摩擦係数の大の移動摩擦板３がスライド前の状態で、下部分が前記移動摩擦板３のスライド後の状態を示す図である。
【図１−Ｂ】同開閉扉１において、その一部斜視図（Ａ）と、移動摩擦板３のスライド前後の変化を示す一部斜視図（Ｂ）とである。
【図２】同開閉扉１の断面図で、摩擦係数の大きい移動摩擦板と小さい固定摩擦板との断面図（Ａ），（Ｂ）である。
【図３】開閉扉１を袋詰土砂が摺接している状態において、摩擦係数の大きい移動摩擦板がスライドする前と後とを示す説明図（Ａ），（Ｂ）である。
【図４】図３におけるａ−ａ線に沿った断面図（Ａ）と中間の断面図（Ｂ）とｃ−ｃ線に沿った断面図（Ｃ）とである。
【図５】土砂投入船及び投入枠の断面図で、シャッターが閉じた状態の断面図（Ａ）と、本発明の摩擦制御方法による降下を示す説明断面図（Ｂ）と、従来の方法による降下を示す説明断面図（Ｃ）とである。
【図６】従来例に係る袋詰土砂の降下方法を示す説明図である。
【発明を実施するための形態】
【０００９】
本発明に係る降下対象物を摺接させて降下させる開閉扉の摩擦制御方法とその装置は、図１に示すように、土砂投入船及び投入枠の底部を開閉する開閉扉である観音開きのシャッターの摩擦係数を制御できるようにして、袋詰土砂が前記シャッターの拡開と共に直ちに滑り落ちないように、ある程度の拡開角度となったところで、前記シャッターが開口してから前記袋詰土砂が滑り落ちるようにするものである。
【実施例１】
【００１０】
本発明に係る降下対象物である袋詰土砂を降下させるための開閉扉１における摩擦制御装置２は、図１−Ａ，図１−Ｂに示すように、前記開閉扉１を構成する観音開きの金属製シャッター１ａと、このシャッター１ａの摺接用表面を、摩擦係数の大きい部分（以下、移動摩擦板、摩擦係数０．５〜０．８程度））３と摩擦係数の小さい部分（以下、固定摩擦板、摩擦係数０．１〜０．３程度））４とを、前記降下対象物５を降下させる方向と直交する方向に交互に並べて敷設する。
【００１１】
図２に示すように、前記移動摩擦板３と固定摩擦板４とは、ピアノの鍵盤の様に櫛刃状に配設され、一方の移動摩擦板３は摺接方向に沿って外側（図２（Ａ）参照）にスライドして移動することができる。また、前記固定摩擦板４はシャッター１ａに固定されていて移動しない。この両摩擦板表面の摩擦係数は、所要の摩擦係数の平薄板状材料を、摺接面に貼着して実現させるものである。
【００１２】
前記移動摩擦板３は、一つおきに隣り合っている移動摩擦板３とが、直交方向に横架させた剛性な連結バー６で連結されている。この連結バー６は、例えば、油圧シリンダー７で摺接方向の外側に向けてスライドさせられる。
【００１３】
前記移動摩擦板３をスライドさせる際には、図示していない制御装置によって前記油圧シリンダー７が駆動され、そのロッド７ａが伸長されて係合部６ａが外側に押し出されて、前記連結バー６が摺接方向の外側に移動され、各移動摩擦板３がスライドせしめられるものである。
【００１４】
前記開閉扉１は、このように、土砂投入船及び投入枠の底部に設けられるシャッター１ａ，１ａに、傾斜した摺接面を有する所要幅で断面形状が三角形状で細長い移動摩擦板３と固定摩擦板４と、スライド用の移動手段である連結バー６と油圧シリンダー７と、油圧シリンダー７の伸縮を駆動制御する制御装置（図示せず）とで、概ね構成されている。
【００１５】
図５（Ａ），（Ｂ）を参照して、本発明に係る開閉扉１の摩擦係数制御方法について説明する。同図（Ａ）が、土砂投入船及び投入枠９の観音開きのシャッター１ａ，１ａが閉じている状態である。シャッター１ａは、開閉バー１０によって閉じられている。また、シャッター１ａは、底部の両端側に設けられた回転軸９ａを中心にして回動するものである。
【００１６】
前記シャッター１ａ，１ａの閉じた状態から、図５（Ｂ）に示すように、開閉バー１０が下に移動してシャッター１ａ，１ａが回転軸９ａを中心に拡開する。開口角度がまだ小さいので、袋詰土砂８はシャッター１ａの傾斜面の摩擦力で止まっている。
【００１７】
更に、前記開閉バー１０を降ろしてシャッター１ａ，１ａを大きく開口させる。そして、油圧シリンダー７を制御装置で駆動させてその７ａロッドを伸長させ、連結バー６を摺接方向外側にスライドさせる。
【００１８】
それにより、図１−Ｂ（Ｂ）に示すように、各々移動摩擦板３が同方向にスライドする。これにより、袋詰土砂８のシート８ａが、図４（Ａ）から同図（Ｃ）に示すような状態となり、前記シート８ａにおいて移動摩擦板３に接触する部分が少なくなり、固定摩擦板４に主に接触するので、シャッター１ａ全体としての摩擦係数が小さくなり、前記袋詰土砂８が滑りやすくなる。
【００１９】
こうして、袋詰土砂８の一部が十分に拡開したシャッター１ａ，１ａの開口部から下に降下して、その尖塔部分が海底１１に到達する。更に、開閉バー１０が下に移動することでシャッター１ａの開口が大きくなり、袋詰土砂８は中央部が変形しながら、全体が下に落ちて行く。
【００２０】
このように、前記開閉扉１を、前記摩擦係数の大きい移動摩擦板３と摩擦係数の小さい固定摩擦板４とのうち、移動摩擦板３を相対的に移動させることで前記開閉扉１全体の摩擦係数を変化させることにより、シャッター１ａ，１ａが十分に拡開された状態にしてから、袋詰土砂８が下にスムーズに落ちるように制御することができる。これにより、袋詰土砂８のシート８ａが引っ張られて破けることなどが防止される。また、袋詰土砂８の落下位置も正確に制御することができる。
【実施例２】
【００２１】
前記開閉扉１は、引き戸ではなく観音開きの場合で説明したが、場合によっては、一枚の板が開く片開き戸でも可能である。また、前記摩擦係数の大きい移動摩擦板３と摩擦係数の小さい固定摩擦板４とのうちいずれか一方を相対的に移動させるタイミングには、開閉扉を閉状態から開状態に移行するために、斜めに傾斜させている途中において行われるものである。
【００２２】
前記移動摩擦板の相対的な移動には、上述の一方をスライドさせることだけに限らず、例えば、摩擦係数の小さい固定摩擦板４の方をジャッキで押し上げて突出させたり、移動摩擦板３の傾斜角度を大きくして沈み込むように調整したりすることで達成することができる。
【００２３】
また、開閉扉１の摩擦係数を変化させる方法として、上記以外に、異なる摩擦係数の固定摩擦板と移動摩擦板とに交互に配置して、前記移動可能な移動摩擦板を傾斜摺接面から後退させたり前進させたりする方法もある。このほか、移動摩擦板３を側面から見て比較的大きな円の一部の円弧状に形成しておいて、開閉扉１を側面から見ると、固定摩擦板の表面から上に前記移動摩擦板３の円弧状部分が突出する状態となり、この移動摩擦板３の円弧状部分を固定摩擦板４の間から後退させることで、開閉扉１の摩擦液数が変わるようにしても良い。
【００２４】
更に、前記摩擦板３，４は、摺接方向に沿ってその断面形状が先細となる三角形状の傾斜板で説明したが、それにこだわることなく、矩形状の平板であっても良い。
【産業上の利用可能性】
【００２５】
本発明に係る降下対象物を摺接降下させる開閉扉の摩擦制御方法とその装置は、土砂投入船及び投入枠による袋詰土砂の降下に適用したが、これに限らず、物流における一般の滑らせる物のをハンドリングする際においても、使用できるものである。
【符号の説明】
【００２６】
１          開閉扉、                    １ａ        シャッター、
２          摩擦制御装置、
３          摩擦係数の大きい部分（移動摩擦板）、
４          摩擦係数の小さい部分（固定摩擦板）、
５          直交方向、
６          連結バー、
７          油圧シリンダー、            ７ａ        ロッド、
８          袋詰土砂、
９          土砂投入船及び投入枠、
１０        開閉バー、
１１        海底。
【図１−Ａ】
2010209575.tif 000003
【図１−Ｂ】
2010209575.tif 000004
【図２】
2010209575.tif 000005
【図３】
2010209575.tif 000006
【図４】
2010209575.tif 000007
【図５】
2010209575.tif 000008
【図６】
2010209575.tif 000009